(57)【要約】【課題】測定時間の短縮を図り、より正確な測定結果を採用できる生体測定装置を提供する。【解決手段】生体測定装置１は、被験者の体重の測定を繰り返す体重センサ４と、体重センサ４による測定が繰り返されている間に、被験者の生体インピーダンスの測定を繰り返す電圧測定電極５ｂ，６ｂと、体重センサ４が出力した体重測定データが第１規定範囲内に存在するか否かを判断する条件判断部２４と、存在すると判断されたことに応じて、電圧測定電極５ｂ，６ｂが出力した生体インピーダンス測定データを生体インピーダンス測定結果として採用する測定処理部２７とを備える。また、測定処理部２７は、条件判断部２４が電圧測定電極５ｂ，６ｂに出力した生体インピーダンス測定データが第２規定範囲内に存在するか否かを判断し、存在する場合に体重センサ４が出力した体重測定データを体重測定結果として採用するものであってもよい。【選択図】図３
2014042577.tif 000002
【特許請求の範囲】
【請求項１】
被験者の体重及び生体インピーダンスの一方の測定を繰り返す第１測定部と、
前記第１測定部による測定が繰り返されている間に、前記被験者の体重及び生体インピーダンスの測定のうち前記第１測定部とは異なる測定を繰り返す第２測定部と、
前記第１測定部が出力した第１測定データが第１規定範囲内に存在するか否かを判断する条件判断部と、
前記条件判断部により、前記第１測定データが前記第１規定範囲内に存在すると判断されたことに応じて、前記第２測定部が出力した第２測定データを第２測定結果として採用する測定処理部と、
を備える生体測定装置。
【請求項２】
請求項１に記載の生体測定装置において、
操作部が操作されたことに応じて、前記第１測定部及び前記第２測定部を同時に起動させて同時に測定を開始させる起動部を備えること、
を特徴とする生体測定装置。
【請求項３】
請求項１又は請求項２に記載の生体測定装置において、
前記測定処理部は、前記条件判断部により、前記第１測定データが前記第１規定範囲内に存在すると判断されたことに応じて、前記第１測定部が出力した前記第１測定データを第１測定結果として採用すること、
を特徴とする生体測定装置。
【請求項４】
請求項１から請求項３までのいずれかに記載の生体測定装置において、
前記条件判断部は、前記第１測定部が出力した前記第１測定データが前記第１規定範囲内に存在するか否かを判断するのに加えて、前記第２測定部が出力した前記第２測定データが第２規定範囲内に存在するか否かを判断し、
前記測定処理部は、前記条件判断部により、前記第１測定データが前記第１規定範囲内に存在し、かつ、前記第２測定データが前記第２規定範囲内に存在すると判断されたことに応じて、前記第２測定部が出力した前記第２測定データを第２測定結果として採用すること、
を特徴とする生体測定装置。
【請求項５】
請求項４に記載の生体測定装置において、
前記測定処理部は、前記条件判断部により、前記第１測定データが前記第１規定範囲内に存在し、かつ、前記第２測定データが前記第２規定範囲内に存在すると判断されたことに応じて、前記第１測定部が出力した前記第１測定データを第１測定結果として採用すること、
を特徴とする生体測定装置。
【請求項６】
請求項１から請求項５までのいずれかに記載の生体測定装置において、
前記第１測定部及び前記第２測定部の一方は、前記被験者の足裏面を載置する載置テーブルを構成する体重検出部であり、
前記第１測定部及び前記第２測定部のうち前記一方とは異なる他方は、前記載置テーブルの上に配置された生体インピーダンス測定電極であること、
を特徴とする生体測定装置。
【請求項７】
請求項１から請求項６までのいずれかに記載の生体測定装置において、
前記第１測定データに関する情報を記憶する第１記憶部と、
前記第２測定データに関する情報を記憶する第２記憶部と、
を備え、
前記条件判断部は、
前記第１測定部が出力した前記第１測定データが前記第１規定範囲内に存在するか否かを判定し、前記第１規定範囲内に存在する場合に、前記第１記憶部にその第１測定データに関する情報を記憶させる第１条件部と、
前記第２測定部が出力した前記第２測定データが第２規定範囲内に存在するか否かを判定し、前記第２規定範囲内に存在する場合に、前記第２記憶部にその第２測定データに関する情報を記憶させる第２条件部と、
を有し、
前記第１記憶部に記憶された前記第１測定データに関する情報と、前記第２記憶部に記憶された前記第２測定データに関する情報とにより、各々所定の回数分測定されたか否かを判断すること、
を特徴とする生体測定装置。
【請求項８】
請求項７に記載の生体測定装置において、
前記第１条件部により前記第１測定データが前記第１規定範囲内に存在しないと判断されるか、又は、前記第２条件部により前記第２測定データが前記第２規定範囲内に存在しないと判断された場合には、前記第１記憶部及び前記第２記憶部をクリアするリセット部を備えること、
を特徴とする生体測定装置。
【請求項９】
請求項７又は請求項８に記載の生体測定装置において、
前記条件判断部は、前記被験者の状態が安定した状態になると予測される安定予測時間から測定に必要な測定時間の経過後に、前記第１記憶部に前記第１測定データに関する情報が存在し、かつ、前記第２記憶部に前記第２測定データに関する情報が存在するか否かを判断し、
前記測定処理部は、前記条件判断部により前記第１記憶部に前記第１測定データに関する情報が存在し、かつ、前記第２記憶部に前記第２測定データに関する情報が存在する場合に、前記第２記憶部に記憶された複数の第２測定データを第２測定結果として採用すること、
を特徴とする生体測定装置。
【発明の詳細な説明】
【技術分野】
【０００１】
本発明は、被験者を測定する生体測定装置に関する。
【背景技術】
【０００２】
従来の体脂肪計は、まず体重を測定し、その後体脂肪率の測定を行う２段階測定を行うものであった。よって、体重のみを測定する体重計と比較して、測定時間が長くかかってしまう。この点を解決するため、より短い測定時間で行えるように、被験者の生体インピーダンスと体重の測定にかかる時間が短縮される頻度を高める体組成体重測定装置が提案されている（例えば、特許文献１）。
【先行技術文献】
【特許文献】
【０００３】
【特許文献１】特開２０１２−３４８４７号公報
【発明の概要】
【発明が解決しようとする課題】
【０００４】
測定部に被験者の足が載せられてからしばらくの間は、被験者の姿勢が安定しない。特許文献１の発明は、体重の変化が安定すると予測されるまでの期間を安定予測期間として予め記憶しておき、この安定予測期間内に生体インピーダンスの測定を開始することで、測定時間が短縮される頻度を高めるものである。しかし、特許文献１に記載の発明は、安定予測期間内に被験者の姿勢が安定しない場合等には、従来と同程度の測定時間がかかってしまう。
【０００５】
そこで、本発明は、測定時間の短縮を図り、より正確な測定結果を採用できる生体測定装置を提供することを目的とする。
【課題を解決するための手段】
【０００６】
本発明は、以下のような解決手段により、前記課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００７】
第１の発明は、被験者の体重及び生体インピーダンスの一方の測定を繰り返す第１測定部（４又は５ｂ，６ｂ）と、前記第１測定部による測定が繰り返されている間に、前記被験者の体重及び生体インピーダンスの測定のうち前記第１測定部とは異なる測定を繰り返す第２測定部（５ｂ，６ｂ又は４）と、前記第１測定部が出力した第１測定データが第１規定範囲内に存在するか否かを判断する条件判断部（２４）と、前記条件判断部により、前記第１測定データが前記第１規定範囲内に存在すると判断されたことに応じて、前記第２測定部が出力した第２測定データを第２測定結果として採用する測定処理部（２７）と、を備える生体測定装置（１，２０１）である。
第２の発明は、第１の発明の生体測定装置（１，２０１）において、操作部（９）が操作されたことに応じて、前記第１測定部（４又は５ｂ，６ｂ）及び前記第２測定部（５ｂ，６ｂ又は４）を同時に起動させて同時に測定を開始させる起動部（２１，２２１Ｂ）を備えること、を特徴とする生体測定装置である。
第３の発明は、第１の発明又は第２の発明の生体測定装置（１，２０１）において、前記測定処理部（２７）は、前記条件判断部（２４）により、前記第１測定データが前記第１規定範囲内に存在すると判断されたことに応じて、前記第１測定部（４又は５ｂ，６ｂ）が出力した前記第１測定データを第１測定結果として採用すること、を特徴とする生体測定装置である。
第４の発明は、第１の発明から第３の発明までのいずれかの生体測定装置（１，２０１）において、前記条件判断部（２４）は、前記第１測定部（４又は５ｂ，６ｂ）が出力した前記第１測定データが前記第１規定範囲内に存在するか否かを判断するのに加えて、前記第２測定部（５ｂ，６ｂ又は４）が出力した前記第２測定データが第２規定範囲内に存在するか否かを判断し、前記測定処理部（２７）は、前記条件判断部により、前記第１測定データが前記第１規定範囲内に存在し、かつ、前記第２測定データが前記第２規定範囲内に存在すると判断されたことに応じて、前記第２測定部が出力した前記第２測定データを第２測定結果として採用すること、を特徴とする生体測定装置である。
第５の発明は、第４の発明の生体測定装置（１，２０１）において、前記測定処理部（２７）は、前記条件判断部（２４）により、前記第１測定データが前記第１規定範囲内に存在し、かつ、前記第２測定データが前記第２規定範囲内に存在すると判断されたことに応じて、前記第１測定部が（４又は５ｂ，６ｂ）出力した前記第１測定データを第１測定結果として採用すること、を特徴とする生体測定装置である。
第６の発明は、第１の発明から第５の発明までのいずれかの生体測定装置（１，２０１）において、前記第１測定部（４又は５ｂ，６ｂ）及び前記第２測定部（５ｂ，６ｂ又は４）の一方は、前記被験者の足裏面を載置する載置テーブルを構成する体重検出部であり、前記第１測定部及び前記第２測定部のうち前記一方とは異なる他方は、前記載置テーブルの上に配置された生体インピーダンス測定電極であること、を特徴とする生体測定装置である。
第７の発明は、第１の発明から第６の発明までのいずれかの生体測定装置（１，２０１）において、前記第１測定データに関する情報を記憶する第１記憶部（３１又は３２）と、前記第２測定データに関する情報を記憶する第２記憶部（３２又は３１）と、を備え、前記条件判断部（２４）は、前記第１測定部（４又は５ｂ，６ｂ）が出力した前記第１測定データが前記第１規定範囲内に存在するか否かを判定し、前記第１規定範囲内に存在する場合に、前記第１記憶部にその第１測定データに関する情報を記憶させる第１条件部（２２又は２３）と、前記第２測定部（５ｂ，６ｂ又は４）が出力した前記第２測定データが第２規定範囲内に存在するか否かを判定し、前記第２規定範囲内に存在する場合に、前記第２記憶部にその第２測定データに関する情報を記憶させる第２条件部（２３又は２２）と、を有し、前記第１記憶部に記憶された前記第１測定データに関する情報と、前記第２記憶部に記憶された前記第２測定データに関する情報とにより、各々所定の回数分測定されたか否かを判断すること、を特徴とする生体測定装置である。
第８の発明は、第７の発明の生体測定装置（１，２０１）において、前記第１条件部（２２又は２３）により前記第１測定データが前記第１規定範囲内に存在しないと判断されるか、又は、前記第２条件部（２３又は２２）により前記第２測定データが前記第２規定範囲内に存在しないと判断された場合には、前記第１記憶部（３１又は３２）及び前記第２記憶部（３２又は３１）をクリアするリセット部（２８）を備えること、を特徴とする生体測定装置である。
第９の発明は、第７の発明又は第８の発明の生体測定装置（１，２０１）において、前記条件判断部（２４）は、前記被験者の状態が安定した状態になると予測される安定予測時間から測定に必要な測定時間の経過後に、前記第１記憶部（３１又は３２）に前記第１測定データに関する情報が存在し、かつ、前記第２記憶部（３２又は３１）に前記第２測定データに関する情報が存在するか否かを判断し、前記測定処理部（２７）は、前記条件判断部により前記第１記憶部に前記第１測定データに関する情報が存在し、かつ、前記第２記憶部に前記第２測定データに関する情報が存在する場合に、前記第２記憶部に記憶された複数の第２測定データを第２測定結果として採用すること、を特徴とする生体測定装置である。
【発明の効果】
【０００８】
本発明によれば、以下の効果を奏することができる。
（１）第１の発明は、体重及び生体インピーダンスの一方の測定に、他方の測定データが規定の範囲内に存在することを条件とするので、一方の測定データが例えば安定状態であることを条件に、他方を測定できる。
また、第１の発明は、体重の測定を繰り返している間に、生体インピーダンスの測定を繰り返し、又は、生体インピーダンスの測定を繰り返している間に、体重の測定を繰り返すので、体重の測定と、生体インピーダンスの測定とを非同期かつ同時に行うことができる。
（２）第２の発明は、体重の測定と生体インピーダンスの測定とを、操作部が操作されたことで起動して開始するので、即時かつ同時に体重の測定と生体インピーダンスの測定とを開始できる。
【０００９】
（３）第３の発明は、体重及び生体インピーダンスの一方の測定データが規定範囲内に存在することを条件として、例えば、一方の測定データが安定状態であることを条件に、体重及び生体インピーダンスの測定処理ができる。
（４）第４の発明は、体重及び生体インピーダンスの一方の測定に、体重と生体インピーダンスとの両方の測定データが各々の規定範囲内に存在することを条件とするので、両者の測定データが例えば安定状態であることを条件に測定処理ができる。よって、安定度合いがより精緻な状態のデータを使用して測定できる。
（５）第５の発明は、体重と生体インピーダンスとを同時に測定処理ができる。よって、体重測定終了後に生体インピーダンス測定を開始するものに比べて測定時間が短縮できる。より具体的には、体重のみを測定する体重計と同等の測定時間で、体重と生体インピーダンスとの両方を測定できる。
（６）第６の発明は、体重測定を被験者の足裏面を載置する載置テーブルに体重と生体インピーダンスとを測定する装置を備えるので、体重の安定を利用して生体インピーダンスの測定ができ、また、生体インピーダンスの安定を利用して体重の測定ができる。
【００１０】
（７）第７の発明は、安定した状態で測定された体重測定データと、生体インピーダンス測定データとが所定の回数分測定されることで、測定処理を行うことができる。よって、安定状態である間に複数の測定データを取得でき、測定処理に複数の測定データを用いることができる。
（８）第８の発明は、第１測定データ及び第２測定データのうち一方でも安定した状態ではない場合には、第１記憶部と第２記憶部との両方をリセットする。よって、体重と生体インピーダンスとの両者が安定状態であるときのデータのみを使用して体組成等を算出するようにできる。
（９）第９の発明は、被験者の状態が安定した状態になると予測される安定予測時間から測定に必要な測定時間の経過後に、体重と生体インピーダンスとの測定データが記憶部に存在する場合に、記憶部の複数の測定データを採用する。よって測定データによる多少のばらつきを平準化できる。また、測定にかかる時間を一定にできる。
【図面の簡単な説明】
【００１１】
【図１】第１実施形態に係る生体測定装置の平面図である。
【図２】第１実施形態に係る生体測定装置の側面図である。
【図３】第１実施形態に係る生体測定装置の機能構成を示す図である。
【図４】第１実施形態に係る生体測定装置のフローチャートである。
【図５】第１実施形態に係るイベント処理のフローチャートである。
【図６】第２実施形態に係る生体測定装置の機能構成を示す図である。
【図７】第２実施形態に係る生体測定装置のフローチャートである。
【図８】第２実施形態に係る生体測定装置のフローチャートである。
【発明を実施するための形態】
【００１２】
以下、本発明を実施するための形態について、図を参照しながら説明する。なお、これは、あくまでも一例であって、本発明の技術的範囲はこれに限られるものではない。
【００１３】
（第１実施形態）
図１は、第１実施形態に係る生体測定装置１の平面図である。図２は、第１実施形態に係る生体測定装置１の側面図である。
生体測定装置１は、被験者が両足を載せて直立姿勢を保つことで、体重と、生体インピーダンスとを測定して、被験者の体脂肪率等を含む体組成を算出する測定装置である。
図１に示すように、生体測定装置１は、表示部２と、身体情報入力部３と、右足置き部５及び左足置き部６と、操作部９とを備える。
表示部２は、表示デバイスであり、例えば、液晶ディスプレイ（ＬＣＤ）等で構成される。
身体情報入力部３は、被験者が最初に使用する前に、被験者の情報を入力するためのものであり、例えば、ボタン等で構成される。なお、被験者の情報とは、例えば、身長、年齢、性別等をいう。
【００１４】
右足置き部５及び左足置き部６は、被験者が左右の足をそれぞれ載せる部分である。
右足置き部５は、電流印加電極５ａと、電圧測定電極５ｂとを備える。電流印加電極５ａと、電圧測定電極５ｂとは、図２に示すように、被験者Ｐが右足を生体測定装置１の上に載置した状態で、被験者の右足が接触する位置に配置されている。
また、左足置き部６は、電流印加電極６ａと、電圧測定電極６ｂとを備える。電流印加電極６ａと、電圧測定電極６ｂとは、被験者が左足を生体測定装置１の上に載置した状態で、被験者の左足が接触する位置に配置されている。
電流印加電極５ａ，６ａは、電流を印加する電極である。電圧測定電極５ｂ，６ｂは、電圧を測定する電極である。電圧測定電極５ｂ，６ｂは、検出情報をアナログ信号で出力する検出部である。
【００１５】
生体測定装置１は、その内部であって、右足置き部５及び左足置き部６の下部に、体重を測定するための体重センサ４（体重検出部）（図３参照）を有する。
体重センサ４は、ロードセル等を備え、体重の検出情報をアナログ信号で出力する検出部である。
操作部９は、被験者が測定前に足等で操作するものであり、制御部２０（後述する）、体重測定回路１１（後述する）、生体インピーダンス測定回路１２（後述する）を含む生体測定装置１の電気エネルギー供給を必要とする各部に電力供給源（図示せず）から電力を供給するためのスイッチである。
このように、生体測定装置１は、体重測定を被験者の足裏面を載置する載置テーブルに体重と生体インピーダンスとを測定する装置を備える。ここで、このような生体測定装置１においては、体重と生体インピーダンスとの安定は相互に関連があると考えられる。例えば、体重が安定するということは、生体インピーダンスを測定する電流印加電極５ａ，６ａ及び電圧測定電極５ｂ、６ｂに対する接触圧が安定している。よって、生体測定装置１は、体重の安定を利用して生体インピーダンスの測定ができ、また、生体インピーダンスの安定を利用して体重の測定ができる。
【００１６】
次に、生体測定装置１の機能構成について説明する。図３は、第１実施形態に係る生体測定装置１の機能構成を示す図である。
生体測定装置１は、上述で説明した表示部２、身体情報入力部３、体重センサ４、右足置き部５及び左足置き部６、操作部９の他、体重測定回路１１と、生体インピーダンス測定回路１２と、Ａ／Ｄ変換部１３，１４と、制御部２０と、記憶部３０とを備える。
体重測定回路１１は、体重センサ４が出力したアナログ信号を増幅する。
生体インピーダンス測定回路１２は、電流印加電極５ａ，６ａ間に特定の周波数の高周波電流を印加する。そして、生体インピーダンス測定回路１２は、電圧測定電極５ｂ，６ｂ間の電圧、すなわち、被験者の両足間の生体インピーダンスに起因する電圧を測定し、電圧測定結果のデータのアナログ信号を増幅する。
Ａ／Ｄ変換部１３は、体重測定回路１１が出力したアナログ信号をＡ／Ｄ変換して、体重測定データをデジタル信号で出力する。
Ａ／Ｄ変換部１４は、生体インピーダンス測定回路１２が出力したアナログ信号をＡ／Ｄ変換して、生体インピーダンス測定データをデジタル信号で出力する。
【００１７】
制御部２０は、生体測定装置１の全体を制御する制御回路であり、例えば、ＣＰＵ（中央処理装置）である。制御部２０は、記憶部３０に記憶されているプログラムを適宜読み出して実行することにより、上述したハードウェアと協働し、本発明に係る各種機能を実現している。
制御部２０は、起動部２１と、条件判断部２４と、測定処理部２７と、リセット部２８とを備える。
【００１８】
起動部２１は、操作部９が操作されて電力が供給されたことに応じて、体重測定回路１１と、生体インピーダンス測定回路１２とを起動させる。
条件判断部２４は、体重条件部２２（第１条件部）と、生体インピーダンス条件部２３（第２条件部）とを備える。
体重条件部２２は、Ａ／Ｄ変換部１３が出力した体重測定データが、ある体重の規定範囲内であるか否かを判断する。そして、体重条件部２２は、ある体重の規定範囲内であると判断された体重測定データと体重カウンタとを、体重測定データに関する情報として体重測定データ記憶部３１に記憶させる。体重カウンタは、体重測定データ記憶部３１に記憶された体重測定データの数を表すカウンタである。
生体インピーダンス条件部２３は、Ａ／Ｄ変換部１４が出力した生体インピーダンス測定データが、ある生体インピーダンスの規定範囲内であるか否かを判断する。そして、生体インピーダンス条件部２３は、ある生体インピーダンスの規定範囲内であると判断された生体インピーダンス測定データと生体インピーダンスカウンタとを、生体インピーダンス測定データに関する情報として生体インピーダンス測定データ記憶部３２に記憶させる。生体インピーダンスカウンタは、生体インピーダンス測定データ記憶部３２に記憶された生体インピーダンス測定データの数を表すカウンタである。
なお、ある体重の規定範囲及びある生体インピーダンスの規定範囲は、被験者の測定データが蓄積されることにより、予め記憶部３０に記憶されている。
条件判断部２４は、体重測定データ記憶部３１に記憶された体重測定データのデータ数と、生体インピーダンス測定データ記憶部３２に記憶された生体インピーダンス測定データのデータ数とが、予め定めた数分存在するか否かを判断する。
【００１９】
測定処理部２７は、体重測定処理部２５と、生体インピーダンス測定処理部２６とを備える。
体重測定処理部２５は、体重測定データ記憶部３１に記憶された複数の体重測定データを測定結果として採用して、複数の体重測定データの平均値をとって体重を算出する。
生体インピーダンス測定処理部２６は、生体インピーダンス測定データ記憶部３２に記憶された複数の生体インピーダンス測定データを測定結果として採用して、複数の生体インピーダンス測定データの平均値をとって生体インピーダンスを算出する。
リセット部２８は、体重測定データ記憶部３１及び生体インピーダンス測定データ記憶部３２をクリアする。
【００２０】
記憶部３０は、制御部２０の動作に必要なプログラム、データ等を記憶するための半導体メモリ素子等の記憶領域である。
記憶部３０は、体重測定データ記憶部３１と、生体インピーダンス測定データ記憶部３２とを備える。
体重測定データ記憶部３１は、Ａ／Ｄ変換部１３が出力した体重測定データを記憶する。また、体重測定データ記憶部３１は、体重測定データ記憶部３１に記憶された体重測定データ数を体重カウンタとして記憶する。
生体インピーダンス測定データ記憶部３２は、Ａ／Ｄ変換部１４が出力した生体インピーダンス測定データを記憶する。また、生体インピーダンス測定データ記憶部３２は、生体インピーダンス測定データ記憶部３２に記憶された生体インピーダンス測定データのデータ数を生体インピーダンスカウンタとして記憶する。
【００２１】
次に、生体測定装置１の処理について説明する。図４は、第１実施形態に係る生体測定装置１のフローチャートである。
最初に、制御部２０の処理を説明し、その後、体重測定回路１１、生体インピーダンス測定回路１２の処理を説明する。
ステップＳ（以下、「Ｓ」という。）１１において、被験者により生体測定装置１の操作部９が操作され、制御部２０に電力が供給されることにより処理を開始する。
Ｓ１２において、制御部２０は、初期化処理を行う。初期化処理とは、体重測定データ記憶部３１と、生体インピーダンス測定データ記憶部３２とをリセットしたりすることをいう。
Ｓ１３において、制御部２０（起動部２１）は、体重測定回路１１及び生体インピーダンス測定回路１２に対して起動（ＯＮ）を指示する。
Ｓ１４において、制御部２０は、体重測定回路１１に対して体重測定開始を指示し、生体インピーダンス測定回路１２に対して生体インピーダンス測定開始を指示する。
【００２２】
Ｓ１５において、制御部２０は、後述するイベント処理を行う。
Ｓ１６において、制御部２０は、測定終了イベントを受け付けたか否かを判断する。測定終了イベントを受け付けた場合（Ｓ１６：ＹＥＳ）には、制御部２０は、処理をＳ１７に移す。他方、測定終了イベントを受け付けていない場合（Ｓ１６：ＮＯ）には、制御部２０は、処理をＳ１５に移してイベント処理を行う。
Ｓ１７において、制御部２０（測定処理部２７）は、体重測定データ記憶部３１に記憶された複数の体重測定データと、生体インピーダンス測定データ記憶部３２に記憶された複数の生体インピーダンス測定データとを採用する。そして、制御部２０は、採用したデータを用いて体脂肪率等を算出する測定処理を行う。
Ｓ１８において、制御部２０は、体重測定回路１１及び生体インピーダンス測定回路１２に対して測定の終了（ＯＦＦ）を指示する。
Ｓ１９において、制御部２０は、Ｓ１７で行った測定処理の結果を、測定結果として表示部２に表示させる。その後、制御部２０は、所定の時間（例えば、５秒）を経過後に、電源をＯＦＦにして、本処理を終了する。
【００２３】
次に、体重測定回路１１の処理を説明する。
Ｓ２１において、制御部２０からの起動の指示を受け付けて、体重測定回路１１が起動される。
Ｓ２２において、体重測定回路１１は、体重の測定を行う。
Ｓ２３において、体重測定回路１１は、体重測定データを出力する。
Ｓ２４において、体重測定回路１１は、測定の終了の指示を受け付けたか否かを判断する。測定の終了の指示を受け付けた場合（Ｓ２４：ＹＥＳ）には、体重測定回路１１は、処理をＳ２５に移す。他方、測定の終了の指示を受け付けていない場合（Ｓ２４：ＮＯ）には、体重測定回路１１は、処理をＳ２２に移す。つまり、体重測定回路１１は、測定の終了の指示を受け付けるまで、体重を測定して（Ｓ２２）、体重測定データを出力する（Ｓ２３）という一連の処理を繰り返す。
Ｓ２５において、体重測定回路１１は、測定を終了する。その後、体重測定回路１１は、本処理を終了する。
【００２４】
次に、生体インピーダンス測定回路１２の処理を説明する。
Ｓ３１において、制御部２０からの起動の指示を受け付けて、生体インピーダンス測定回路１２が起動される。
Ｓ３２において、生体インピーダンス測定回路１２は、生体インピーダンスの測定を行う。
Ｓ３３において、生体インピーダンス測定回路１２は、生体インピーダンス測定データを出力する。
Ｓ３４において、生体インピーダンス測定回路１２は、測定の終了の指示を受け付けたか否かを判断する。測定の終了の指示を受け付けた場合（Ｓ３４：ＹＥＳ）には、生体インピーダンス測定回路１２は、処理をＳ３５に移す。他方、測定の終了の指示を受け付けていない場合（Ｓ３４：ＮＯ）には、生体インピーダンス測定回路１２は、処理をＳ３２に移す。つまり、生体インピーダンス測定回路１２は、測定の終了の指示を受け付けるまで、生体インピーダンスを測定して（Ｓ３２）、生体インピーダンス測定データを出力する（Ｓ３３）という一連の処理を繰り返す。
Ｓ３５において、生体インピーダンス測定回路１２は、測定を終了する。その後、生体インピーダンス測定回路１２は、本処理を終了する。
【００２５】
このように、生体測定装置１は、体重の測定と生体インピーダンスの測定とを、操作部９が操作されたことで開始するので、即時かつ同時に体重の測定と生体インピーダンスの測定とを開始できる。
また、生体測定装置１は、体重の測定を繰り返している間に生体インピーダンスの測定を繰り返すので、体重の測定と、生体インピーダンスの測定とを非同期かつ同時に行うことができる。
【００２６】
次に、図４のＳ１５に示したイベント処理について説明する。図５は、第１実施形態に係るイベント処理のフローチャートである。
Ｓ１０１において、制御部２０は、受け付けたイベント（処理要求）が体重に関するもの（体重イベント）であるか否かを判断する。制御部２０は、体重測定データ（図４のＳ２３で体重測定回路１１が出力）を受け付けた場合に、体重に関する処理要求があったと判断する。受け付けたイベントが体重イベントである場合（Ｓ１０１：ＹＥＳ）には、制御部２０は、処理をＳ１０２に移す。他方、受け付けたイベントが体重イベントではない場合（Ｓ１０１：ＮＯ）には、制御部２０は、処理をＳ１０５に移す。
Ｓ１０２において、制御部２０は、体重測定データを取得する。
Ｓ１０３において、制御部２０（体重条件部２２）は、取得した体重測定データが安定した状態（第１規定範囲内）であるか否かを判断する。取得した体重測定データが安定した状態であるか否かは、前回の体重測定データと比較して体重測定データの値が規定範囲内（例えば、前回の体重測定データの値との差が±２０ｇ以内）であるか否かにより判断する。安定した状態である場合（Ｓ１０３：ＹＥＳ）には、制御部２０は、処理をＳ１０４に移す。他方、安定した状態ではない場合（Ｓ１０３：ＮＯ）には、制御部２０は、処理をＳ１１１に移す。
Ｓ１０４において、制御部２０（体重条件部２２）は、体重測定データ記憶部３１に有する体重カウンタに１を加算する。また、制御部２０は、体重測定データを体重測定データ記憶部３１に記憶する。その後、制御部２０は、処理をＳ１０９に移す。
【００２７】
Ｓ１０５において、制御部２０は、受け付けたイベントが生体インピーダンスに関するもの（生体インピーダンスイベント）であるか否かを判断する。制御部２０は、生体インピーダンス測定データ（図４のＳ３３で生体インピーダンス測定回路１２が出力）を受け付けた場合に、生体インピーダンスに関する処理要求があったと判断する。受け付けたイベントが生体インピーダンスイベントである場合（Ｓ１０５：ＹＥＳ）には、制御部２０は、処理をＳ１０６に移す。他方、受け付けたイベントが生体インピーダンスイベントではない場合（Ｓ１０５：ＮＯ）には、制御部２０は、本処理を終了する。
Ｓ１０６において、制御部２０は、生体インピーダンス測定データを取得する。
Ｓ１０７において、制御部２０（生体インピーダンス条件部２３）は、取得した生体インピーダンス測定データが安定した状態（第２規定範囲内）であるか否かを判断する。取得した生体インピーダンス測定データが安定した状態であるか否かは、前回の生体インピーダンス測定データと比較して生体インピーダンス測定データの値が規定範囲内（例えば、前回の生体インピーダンス測定データの値との差が±１Ω以内）であるか否かにより判断する。安定した状態である場合（Ｓ１０７：ＹＥＳ）には、制御部２０は、処理をＳ１０８に移す。他方、安定した状態ではない場合（Ｓ１０７：ＮＯ）には、制御部２０は、処理をＳ１１１に移す。
Ｓ１０８において、制御部２０（生体インピーダンス条件部２３）は、生体インピーダンス測定データ記憶部３２に有する生体インピーダンスカウンタに１を加算する。また、制御部２０は、生体インピーダンス測定データを生体インピーダンス測定データ記憶部３２に記憶する。
【００２８】
Ｓ１０９において、制御部２０（条件判断部２４）は、体重カウンタの値と、生体インピーダンスカウンタとの値が、予め定めた判定値（所定の回数分）以上であるか否かを判断する。予め定めた判定値は、例えば、体重カウンタが１２以上であり、生体インピーダンスカウンタが７以上である。体重カウンタと生体インピーダンスカウンタとのいずれのカウンタも判定値以上である場合（Ｓ１０９：ＹＥＳ）には、制御部２０は、処理をＳ１１０に移す。他方、体重カウンタと生体インピーダンスカウンタとの少なくとも一方のカウンタが判定値以上ではない場合（Ｓ１０９：ＮＯ）には、制御部２０は、本処理を終了する。
Ｓ１１０において、制御部２０は、測定終了イベントを出力する。
Ｓ１１１において、制御部２０（リセット部２８）は、体重カウンタと生体インピーダンスカウンタとをリセットする。また、制御部２０（リセット部２８）は、体重測定データ記憶部３１と生体インピーダンス測定データ記憶部３２とに記憶されている測定データを消去する。
【００２９】
このように、生体測定装置１は、体重と生体インピーダンスとを同時に測定処理ができる。よって、体重測定終了後に生体インピーダンス測定を開始するものに比べて測定時間が短縮できる。より具体的には、体重のみを測定する体重計と同等の測定時間で、体重と生体インピーダンスとの両方を測定できる。
また、生体測定装置１は、安定した状態で測定された体重測定データと、生体インピーダンス測定データとが判定数以上測定されることで、測定処理を行うことができる。よって、安定状態である間に複数の測定データを取得でき、測定処理に複数の測定データを用いることができる。
さらに、生体測定装置１は、体重測定データ及び生体インピーダンス測定データのうち一方でも安定した状態ではない場合には、体重測定データ記憶部３１と生体インピーダンス測定データ記憶部３２との両方をリセットする。よって、体重と生体インピーダンスとの両者が安定状態であるときのデータのみを使用して体組成等を算出するようにできる。
【００３０】
（第２実施形態）
第２実施形態では、制御部が２つある場合について説明する。なお、以降の説明において、上述した第１実施形態と同様の機能を果たす部分には、同一の符号又は末尾に同一の符号を付して、重複する説明を適宜省略する。
【００３１】
図６は、第２実施形態に係る生体測定装置２０１の機能構成を示す図である。
生体測定装置２０１は、メイン制御部２２０Ａと、サブ制御部２２０Ｂとの２つの制御部を備える。つまり、第１実施形態の１つの制御部に代えて、第２実施形態では、２つの制御部を備える。
メイン制御部２２０Ａは、体重測定回路１１を制御し、体重測定データ及び生体インピーダンス測定データを用いた処理を行う。
サブ制御部２２０Ｂは、生体インピーダンス測定回路１２を制御する。そして、サブ制御部２２０Ｂは、生体インピーダンス測定回路１２から出力され、Ａ／Ｄ変換部１４によりデジタル信号として出力した生体インピーダンス測定データを取得する。
サブ制御部２２０Ｂは、起動部２２１Ｂを備える。起動部２２１Ｂは、生体インピーダンス測定回路１２を起動させる。
【００３２】
次に、生体測定装置２０１の処理について説明する。図７及び図８は、第２実施形態に係る生体測定装置２０１のフローチャートである。ここでは、第１実施形態とは異なる点を中心に説明する。
図７のＳ２１３において、メイン制御部２２０Ａは、初期化処理の後、サブ制御部２２０Ｂに対して起動を指示する。
Ｓ２４１において、メイン制御部２２０Ａからの起動の指示を受け付けて、サブ制御部２２０Ｂが起動される。
【００３３】
また、Ｓ２１４において、メイン制御部２２０Ａ（起動部２１）は、体重測定回路１１に対して起動（ＯＮ）を指示すると共に、メイン制御部２２０Ａは、サブ制御部２２０Ｂに対して生体インピーダンス測定開始を指示する。
Ｓ２４２において、サブ制御部２２０Ｂ（起動部２２１Ｂ）は、生体インピーダンス測定回路１２に対して起動を指示すると共に、生体インピーダンス測定開始を指示する。
これにより、生体インピーダンス測定回路１２が起動され、生体インピーダンス測定回路１２は、生体インピーダンスの測定を行い、生体インピーダンス測定データを出力する（Ｓ２３１〜Ｓ２３３）。
図８のＳ２４３において、サブ制御部２２０Ｂは、生体インピーダンス測定回路１２から生体インピーダンス測定データを受け付けて、通信イベントとして生体インピーダンス測定データをメイン制御部２２０Ａに送信する。
【００３４】
Ｓ２１６において、メイン制御部２２０Ａはイベント処理を行う。イベント処理は、図５で説明した第１実施形態のＳ１０５が「受け付けたイベントは生体インピーダンスか？」が「受け付けたイベントが通信イベントかつ生体インピーダンス測定データが存在するか？」に変更になる以外は、第１実施形態と同様である。
Ｓ２１９において、メイン制御部２２０Ａは、体重測定回路１１に対して測定の終了（ＯＦＦ）を指示すると共に、サブ制御部２２０Ｂに対して実行の終了を指示する。
Ｓ２４４において、サブ制御部２２０Ｂは、生体インピーダンス測定回路１２に対して測定の終了を指示する。
Ｓ２４５において、サブ制御部２２０Ｂは、実行を終了して、本処理を終了する。
このように、生体測定装置２０１は、２つの制御部を利用して処理を行うので、１つの制御部の負荷を低減し、ＣＰＵ等に係るコストを低減できる。
【００３５】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００３６】
（変形形態）
（１）各実施形態では、体重の測定に関するものを「第１」、生体インピーダンスの測定に関するものを「第２」として説明したが、これに限定されない。生体インピーダンスの測定に関するものを「第１」とし、体重の測定に関するものを「第２」としてもよい。
（２）各実施形態では、体重と生体インピーダンスとの両方の測定結果を出力するものとして説明したが、片方の測定結果を出力するものであってもよい。
（３）各実施形態では、体重と生体インピーダンスとの各々の測定データが安定状態になっていることに応じて測定結果を出力するものとして説明した。しかし、体重と生体インピーダンスとのうちの一方の測定データが安定状態になっていることに応じて、他方もしくは両方の測定データを測定結果として採用するものであってもよい。
【００３７】
（４）各実施形態では、体重測定データ記憶部及び生体インピーダンス測定データ記憶部がカウンタと、測定データとを有するものとして説明したが、カウンタを有さずに測定データを記憶して、その数を数えるようにしてもよい。
（５）各実施形態では、安定した状態の体重測定データと生体インピーダンス測定データとの数が判定値以上であることに応じて、測定を終了するものとして説明したが、これに限定されない。例えば、被験者の状態が安定した状態になると予測される安定予測時間から測定に必要な測定時間の経過後に測定データに関する情報が、体重測定データ記憶部及び生体インピーダンス測定データ記憶部に存在するか否かによって判断してもよい。そのようにすることで、測定にかかる時間を一定にできる。
【００３８】
（６）各実施形態では、生体インピーダンスの測定に関して、被験者の足裏が接触する部分に設けられた電流印加電極と電圧測定電極とを用いて生体インピーダンスを測定する生体測定装置を例に説明した。しかし、被験者の足の部分に限らず、被験者の少なくとも２部位間の生体インピーダンスを測定する生体測定装置であってもよい。
具体的には、各実施形態で説明した右足置き部及び左足置き部を備えると共に、被験者の右手及び左手で把持する棒状の部材である右手把持部及び左手把持部を備える生体測定装置であってもよい。そして、右手把持部及び左手把持部は、各々電流印加電極と、電圧測定電極とを備える。被験者は、右足置き部及び左足置き部に右足及び左足を載置し、右手把持部及び左手把持部を各々右手及び左手で握る。そして、制御部からの測定指示に基づいて、生体インピーダンス測定回路が右足置き部、左足置き部、右手把持部及び左手把持部の電流印加電極のうち指定された２つの電流印加電極間に特定の周波数の高周波電流を印加する。そして、生体インピーダンス測定回路が右足置き部、左足置き部、右手把持部及び左手把持部のうち指定された２つの電圧測定電極間の電圧、すなわち、指定された被験者の身体の２部位間の生体インピーダンスに起因する電圧を測定し、その電圧測定結果のデータを出力する。
上述の処理によって出力されたデータを生体インピーダンス測定データとして使用できる。
【符号の説明】
【００３９】
１，２０１  生体測定装置
２      表示部
４      体重センサ
５ｂ，６ｂ  電圧測定電極
９      操作部
１１    体重測定回路
１２    生体インピーダンス測定回路
１３，１４  Ａ／Ｄ変換部
２０    制御部
２１，２２１Ｂ  起動部
２２    体重条件部
２３    生体インピーダンス条件部
２４    条件判断部
２５    体重測定処理部
２６    生体インピーダンス測定処理部
２７    測定処理部
２８    リセット部
３０    記憶部
３１    体重測定データ記憶部
３２    生体インピーダンス測定データ記憶部
２２０Ａ  メイン制御部
２２０Ｂ  サブ制御部
【図１】
2014042577.tif 000003
【図２】
2014042577.tif 000004
【図３】
2014042577.tif 000005
【図４】
2014042577.tif 000006
【図５】
2014042577.tif 000007
【図６】
2014042577.tif 000008
【図７】
2014042577.tif 000009
【図８】
2014042577.tif 000010